(57)【要約】【課題】磁気力を利用してマイクロフォンユニットをフローティング状態で保持し、周囲の振動や騒音を遮断してマイクロフォンの出力のＳ／Ｎを向上し得るマイクロフォンユニットの簡単な保持構造の提供。【解決手段】ケース２の内部に格納されているマイクロフォンユニット１の保持構造であって、マイクロフォンユニット１の先端部側または後端部側にマグネット３又は磁性体４をマイクロフォンの主軸方向に一致させて固定し、前記ケース２内の対向部に所定の空隙Ｄを隔てて対向配置され、前記ケース２の基端部側とマイクロフォンユニット１の後端部側または先端部側との間に軸線方向に伸張性がなく可撓性を有する紐状体５を固着させ、マグネット３と磁性体４との間に発生する吸引力と、紐状体５の張力とを釣り合わせてフローティング状態で保持させたもの。【選択図】      図１
2004312094.tif 000002
【特許請求の範囲】
【請求項１】
ケース（２）の内部に格納されているマイクロフォンユニット（１）の保持構造であって、マイクロフォンユニット（１）の先端部側または後端部側にマグネット（３）又は磁性体（４）がモービルマイクロフォンの主軸方向に一致させて固定され、前記ケース（２）内の先端部側または後端部側の対向部に磁性体（４）又はマグネット（３）が所定の空隙（Ｄ）を隔てて対向配置されており、前記ケース（２）の基端部側とマイクロフォンユニット（１）の後端部側または先端部側との間に軸線方向に伸張性がなく、且つ機械的内部損失が大きくて可撓性を有する紐状体（５）を固着させ、前記マイクロフォンユニット（１）とマイクロフォンコード（７）とがリード線（６）により電気的に接続されているとともに、前記マグネット（３）と磁性体（４）との間に発生する吸引力と、前記紐状体（５）の張力とを釣り合わせて、マイクロフォンユニット（１）をフローティング状態で保持させてあることを特徴とするマイクロフォンユニットの保持構造。
【請求項２】
ケース（２）の内部に格納されているマイクロフォンユニット（１）の保持構造であって、マイクロフォンユニット（１）の先端部側または後端部側にマグネット（３）又は磁性体（４）がモービルマイクロフォンの主軸方向に一致させて固定され、前記ケース（２）内の先端部側または後端部側の対向部に磁性体（４）又はマグネット（３）が所定の空隙（Ｄ）を隔てて対向配置されており、前記ケース（２）の基端部側とマイクロフォンユニット（１）の後端部側または先端部側との間に軸線方向に伸張性がなく、且つ機械的内部損失が大きくて可撓性と導電性とを有する紐状体（５ａ）を固着させ、前記マイクロフォンユニット（１）とマイクロフォンコード（７）とが紐状体（５ａ）により電気的に接続されているとともに、前記マグネット（３）と磁性体（４）との間に発生する吸引力と、前記紐状体（５ａ）の張力とを釣り合わせて、マイクロフォンユニット（１）をフローティング状態で保持させてあることを特徴とするマイクロフォンユニットの保持構造。
【請求項３】
前記マグネット（３）と磁性体（４）のいずれか一方又は両方の相互の対向面が平坦面である請求項１乃至２に記載のマイクロフォンユニットの保持構造。
【請求項４】
前記マグネット（３）と磁性体（４）のいずれか一方又は両方の相互の対向面が錐面である請求項１乃至２に記載のマイクロフォンユニットの保持構造。
【発明の詳細な説明】
【０００１】
【発明の属する技術分野】
本発明は、通常の音声通話をするためのマイクロフォンにおいて、該マイクロフォンのマイクロフォンユニットを保持する構造に関するものである。
【０００２】
【従来の技術】
一般にマイクロフォンに於いては、外部からの振動や騒音を可能な限り遮断してＳ／Ｎの良好な通信が出来るように、そのマイクロフォンユニットの保持構造はマイクロフォンを設計する上で重要な課題であるが、特に図７に使用状態を示すような、バイクやヘルメットに取り付けてライダーが走行中通話する音声を伝達するのに使用するモービルマイクロフォンは種々の工夫が施され、例えば（特公平７−９５０６号）従来公報に記載され且つ図８，図９にその一例を示した様に、音響透過性を有するケース２の内部に同軸に収納されているマイクロフォンユニット１とケース２との間にサスペンダＳｕを介在させて振動を遮断する構造となっている。サスペンダＳｕはゴム等の弾性体で出来ており、ケース２の内周面からマイクロフォンユニット１の外周面にかけて３段階に従続設置されているカンチレバー部Ｓｕａ，Ｓｕｂ，Ｓｕｃによって主軸方向に可撓性をもたせ、揺動可能に保持されている。尚、図７に於いて、Ｍはモービルマイクロフォン、Ｃはクリップ、Ｐはプラグ、Ｈはヘルメット、Ｓはスピーカ、Ｓｃはスピーカコード、Ｐｃは接続コードである。
【０００３】
【発明が解決しようとする課題】
上記した従来のマイクロフォンユニットの保持構造では、保持構造の主体であるサスペンダＳｕが圧縮率や密度等の物性値を有する材料からなる物体であり、柔軟性や弾力性を有してはいるが、その機械的な固有インピーダンスによって雑音や振動をマイクロフォンユニットに伝達して雑音を発生するという欠点があった。又、図８，図９に示した保持構造では、マイクロフォンの中心の１箇所で支持されているため、前記中心の１箇所の支持点に於ける主軸に対する垂直軸を中心としてマイクロフォンユニットの前、後端部が逆位相で振動する所謂ローリング現象を生じて、それが雑音の原因となるという解決すべき課題となっていた。
【０００４】
そこで、本発明においては上記した課題を解消し、振動や雑音を伝達する可能性を有する構造物による保持手段をほぼ排除し、磁気力を利用してマイクロフォンユニットをフローティング状態で保持する事により、周囲の振動や雑音を遮断してマイクロフォンの出力のＳ／Ｎを向上し得るマイクロフォンユニットの保持構造を提供する事を目的とする。
【０００５】
【課題を解決するための手段】
該目的を達成するための本願発明のマイクロフォンユニットの保持構造の構成を、実施例に対応する図１乃至図６に記載の符号を用いて説明すると、本願第１発明は、ケース２の内部に格納されているマイクロフォンユニット１の保持構造であって、マイクロフォンユニット１の先端部側または後端部側にマグネット３又は磁性体４がマイクロフォンの主軸方向に一致させて固定され、前記ケース２内の先端部側または後端部側の対向部に磁性体４又はマグネット３が所定の空隙Ｄを隔てて対向配置されており、前記ケース２の基端部側とマイクロフォンユニット１の後端部側または先端部側との間に軸線方向に伸張性がなく且つ機械的内部損失が大きくて可撓性を有する紐状体５を固着させ、前記マイクロフォンユニット１とマイクロフォンコード７とがリード線６により電気的に接続されているとともに、前記マグネット３と磁性体４との間に発生する吸引力と、前記紐状体５の張力とを釣り合わせて、マイクロフォンユニット１をフローティング状態で保持させてあることを特徴とするマイクロフォンユニットの保持構造である。又、本願第２発明は、上記第１発明に於ける紐状体５に代えて、軸線方向に伸張性がなく、且つ機械的内部損失が大きくて可撓性と導電性とを有する紐状体５ａを固着させてリード線６を省略し、前記マグネット３と磁性体４との間に発生する吸引力と、前記紐状体５ａの張力とを釣り合わせて、マイクロフォンユニット１をフローティング状態で保持させてあることを特徴とするマイクロフォンユニットの保持構造である。
【０００６】
【発明の実施の形態】
このような構成の本発明のマイクロフォンユニットの保持構造を実施するには、マイクロフォンユニット１はユニットケース１５の中にマイクロフォンエレメント１１が収納された構造となっている。マイクロフォンエレメント１１は電気音響変換器であって、いかなる構造、形式のものでも良いが、エレクトレットコンデンサ型のマイクロフォンエレメント１１は、構造が簡単で軽量であり且つ安価であることから好適である。特にプリアンプ１７となるＦＥＴが振動板の近傍に組み込まれている方式のものが、重量、音響的性能、価格等の点で好都合である。又、この他、マイクロフォンエレメント１１としては圧電型の電気音響変換器であっても良い。ユニットケース１５の後端部には端子板１２が取り付けられ、該端子板１２には端子１３が取り付けられている。ユニットケース１５には音波導入孔１４が穿設されているが、ユニットケース１５の内部に装着されているマイクロフォンエレメント１１の一方の面側に音波導入孔１４を形成し、且つ背面を密閉すれば無指向性ユニットとなり、両面側に音波導入孔１４を形成すれば単一指向性ユニット又は双指向性ユニットとなる。
【０００７】
ケース２は使用状態に於いてマイクロフォンユニット１を保護し且つ適切に保持するものである。どのような構造のものであっても良いが、非磁性体金属板に小通気孔２５を多数穿設した通称穴あき板を深絞りをして有底筒状に形成したものが一般的である。このようなケース２はマイクロフォンユニット１の保護・保持機能のほかに、静電シールドとしての機能も有する。筒状の後方の開放端部、即ち基端部側には可撓性電線管８と結合するためのベース２４が固定され、該ベース２４のケース２の内方に面する部位に基端部側端子板２２が取り付けられ、該基端部側端子板２２には端子２３が取り付けられている。通常ケース２には多孔性で通気性に富む、例えば連続気泡性発泡樹脂のような材料からなる風防２１が被せられる。
【０００８】
マイクロフォンユニット１はケース２の内部に収納されるが、その状態は、マイクロフォンユニット１の先端部側又は後端部側に、マグネット３又は磁性体４のいずれかがマイクロフォンの主軸方向に一致させて固定され、前記ケース２内の先端部側の対向部又は基端部側の対向部に磁性体４又はマグネット３が所定の空隙Ｄを隔てて対向して配置されている。そして前記ケース２の基端部側とマイクロフォンユニット１の後端部側との間、若しくは前記ケース２の先端部側とマイクロフォンユニット１の先端部側との間に軸線方向に伸張性がなく、且つ可撓性を有する紐状体５を固着させ、前記マグネット３と磁性体４との間に発生する吸引力と、前記紐状体５の張力とを釣り合わせて、マイクロフォンユニット１をフローティング状態で保持させている。マグネット３及び磁性体４の形状は、円柱状又は角柱状であっても良いが、いずれか一方又は両方の夫々の対向面を円錐状或いは角錐状とする事で磁力線φが集中されて吸引力が増大し、安定してマイクロフォンユニット１を保持する事が出来る。又、前記空隙Ｄを狭くする事で小形のマグネットでも大きな吸引力を得る事が出来る。
【０００９】
紐状体５は前述したごとく可撓性若しくは柔軟性を有し、長さ方向に伸張性を欠く物体であればいかなる物体でもよいが、機械的又は音響的に定在波が乗り難いものである事が望ましく、例えば釣り糸や凧糸又はこれと等価な性質の繊維物質等を使用する。或いは、紐状体５に代えて極めて柔軟で且つ伸張性が無く、導電性を有する例えばリッツ線のような導電線からなる紐状体５ａを使用することによって、マイクロフォンユニット１をフローティング状態で保持させるとともに、マイクロフォンエレメント１１とマイクロフォンコード７とを電気的に接続する事が出来る。この紐状体５として前述した繊維物質を使用した場合は、マイクロフォンエレメント１１とマイクロフォンコード７とは別途リード線６により接続しなければならないことは言うまでもない。又、この目的で使用されるリード線６は前記紐状体５ａとして使用する導電線と同様なものでよいが、この様な導電線をスパイラル形状とすれば防振性が向上する。
【００１０】
上記で説明したマイクロフォンユニット１の保持構造では、マイクロフォンユニット１はケース２の内部にあってその先端部側はマグネット３と磁性体４とによって発生する、マイクロフォンの主軸方向に一致する吸引力によって位置決めされ、その後端部側は軸線方向に伸張性がなく且つ機械的内部損失が大きくて可撓性を有する紐状体５，５ａによる張力によって位置決めされているので、マイクロフォンユニット１は、前記磁気的な吸引力と前記紐状体の張力とを釣り合わせて、ケース２に対してフローティング状態で保持されている。従って、マイクロフォンユニット１の先端部側並びに後端部側に於ける保持構造の振動の伝達係数は極めて小さく、ケース２から伝わる振動や騒音は殆ど遮断される。又、従来例の保持構造と異なって、磁気的な吸引力と紐状体５の張力とはマイクロフォンユニット１を、先端部並びに後端部の２点に於いてマイクロフォンの主軸に沿って位置決めしているので、主軸に垂直方向で且つマイクロフォンユニット１の中間を通る軸周りのローリング振動は阻止され、マイクロフォンユニット１自体から雑音が発生することは無い。更に、マグネット３又磁性体４の質量が大きいため、外部からの振動に対してマイクロフォンユニット１の固有振動数が十分に低く、従って両方の作用が相俟ってマイクロフォン出力のＳ／Ｎは著しく改善される。
【００１１】
【実施例】
図１に本発明の第１実施例の縦方向断面形状を示す。構造は、マイクロフォンユニット１はユニットケース１５の中にマイクロフォンエレメント１１が収納されている。マイクロフォンエレメント１１はエレクトレットコンデンサ型である。周知のごとく振動板の近傍にＦＥＴからなるプリアンプ１７が組み込まれている。ユニットケース１５の後端部には、２個の端子１３を有する端子板１２が取り付けられ、該端子１３にマイクロフォンエレメント１１即ち前記プリアンプ１７の入出力リード線１６が接続されている。ユニットケース１５には音波導入孔１４が穿設されているが、この実施例ではマイクロフォンエレメント１１の前面に音波導入孔１４を形成し、且つ背面を密閉しているので無指向性となっている。
【００１２】
ケース２は、小通気孔２５を多数穿設した通称穴あき板（アルミニウム製）を深絞りをして有底筒状としたものである。有底筒状の後方の開放端部即ち基端部側には可撓性電線管８と結合するためのベース２４が固定され、該ベース２４のケース２の内方に面する部位に基端部側端子板２２が取り付けられ、該基端部側端子板２２には端子２３が取り付けられている。又、ケース２の外側に連続気泡性発泡樹脂からなる風防２１が被せられている。
【００１３】
マイクロフォンユニット１のケース２の内部での収納状態は、マイクロフォンユニット１の先端部側にマグネット３がマイクロフォンの主軸方向に一致させて固定され、前記ケース２内の対向部即ち第１実施例ではケース２の有底筒状の底部、即ちマイクロフォンの先端部側に磁性体４が所定の空隙Ｄを隔てて対向して配置されている。そして前記ケース２の基端部側の端子板２２とマイクロフォンユニット１の後端部側端子板１２との間に釣り糸類似の繊維物質からなる紐状体５を両端で固着させ、前記マグネット３と磁性体４との間に発生する吸引力と、前記紐状体５の張力とを釣り合わせて、マイクロフォンユニット１をフローティング状態で保持させている。又、ケース２の基端部側端子板２２の端子２３，２３とマイクロフォンユニット１の後端部側端子板１２の端子１３，１３とをリード線６，６で連結して、マイクロフォンエレメント１１とマイクロフォンコード７とを電気的に接続している。リード線６はリッツ線をスパイラル状に成型したものを使用している。マイクロフォンコード７の芯線７１とシールド導体７２とは基端部側端子板２２の端子２３，２３に接続されている。
【００１４】
図２に本発明の第２実施例の縦方向断面形状を示す。この実施例では、マイクロフォンユニット１の保持構造のうち磁性体４とマグネット３との位置関係が第１実施例とは異なり、マイクロフォンユニット１の先端部側に磁性体４がマイクロフォンの主軸方向に一致させて固定され、前記ケース２内の対向部即ち実施例ではケース２の底部にマグネット３が、所定の空隙Ｄを隔てて対向して配置されている。この実施例では使用されているエレクトレットコンデンサー型のマイクロフォンエレメント１１は、変換器部分がサブケース１１ａで覆われてその先端部側に音波導入孔１４が設けられてエレメント自体で無指向性のマイクロフォンエレメントとなっている。そして磁性体４の取り付けを容易とするために、マイクロフォンユニット１のユニットケース１５の側面を先端部側に延長して磁性体４を嵌合して取り付け、該磁性体４とマイクロフォンエレメント１１との間に隙間を形成し、ユニットケース１５の側面の前記隙間に該当する部分に別途音波導入孔１４を形成している。
【００１５】
図３に本発明の第３実施例の縦方向断面形状を示す。この実施例では、マイクロフォンエレメント１１として圧電型を使用し、マイクロフォンユニット１の保持構造のうち磁性体４の形状が基本形の第１実施例とは異なって、マグネット３との対向面が錐面を形成し、尖頭形となっている。磁性体４とマグネット３との位置関係は第２実施例と同じである。この実施例では尖頭部に磁力線φが集中するので小体積のマグネットでも必要な吸引力が得られる特徴を有する。その他の部分の構造は第１実施例と同一である。
【００１６】
図４に本発明の第４実施例の縦方向断面形状を示す。この実施例では、マイクロフォンユニット１の保持構造のうちマグネット３の形状が基本形の第１実施例とは異なって、磁性体４との対向面が平坦面を形成している。磁性体４とマグネット３との位置関係は第２実施例と同じである。マイクロフォンエレメント１１は振動面がマイクロフォンの主軸と平行するようにして取り付けられており、ユニットケース１５の側面２箇所に音波導入孔１４が穿設されて単一指向性ユニットを形成している。この実施例は磁性体４並びにマグネット３ともに形状が単純であるため安価である特徴を有する。又、この第４実施例では、その他の部分の構造は第１実施例と同一である。
【００１７】
図５に本発明の第５実施例の縦方向断面形状を示す。この実施例では、マイクロフォンユニット１と紐状体５ａの構造が第２実施例とは異なり、マイクロフォンユニット１は、内蔵するマイクロフォンエレメント１１の前、後面に夫々音波導入孔１４が穿設され、単一指向性ユニットとなっている。又、図面上では符号５ａで表示されている紐状体５ａは、細いリッツ線２本を単純に撚り合わせたものとなっている。この実施例は、マイクロフォンエレメント１１が単一指向性ユニットであるため通話のＳ／Ｎが改善されることと、紐状体５ａがリッツ線だけで形成されているので、他の実施例に於けるリード線６と紐状体５とが合算された保持構造と比較して安価である特徴を有する。その他の部分の構造は第１実施例と同一である。
【００１８】
図６に本発明の第６実施例の縦方向断面形状を示す。この実施例では、マイクロフォンユニット１の保持構造が他の実施例とは異なり、マイクロフォンユニット１の後端部側にマグネット３が、又、ケース２の基端部側に円錐形の磁性体４がそれぞれ取り付けられ、マイクロフォンユニット１の先端部側とケース２の先端部側の底部とにまたがらせて紐状体５が固着されており、マグネット３と磁性体４の吸引力と紐状体５の張力とを釣合わせてマイクロフォンユニット１を保持する。マイクロフォンユニット１はセラミック型の無指向性のマイクロフォンエレメント１１をそのままで使用し、無指向性であるからケース２の小通気孔２５はケース２の前端部だけに設けられ、音波はマイクロフォンユニット１の前面のみから入射するようにしている。上記マイクロフォンユニット１の保持構造において、マグネット３及び磁性体４が上記した位置関係並びに形状をしているのは製造が比較的容易であるからであって、図示は省略するが、上記構造に限定されることなく、前記第１乃至第５各実施例と同様な構造であってもよいことは言うまでもない。尚、同図において２６は前端部保護のための金網である。
【００１９】
以上、本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものである。
【００２０】
【発明の効果】
上記説明で明らかなごとく、本発明のマイクロフォンユニットの保持構造では、マイクロフォンユニットは先端部側では磁石の吸引力と後端部側に設けられた紐状体の張力とを釣り合わせて、ケースに対してフローティング状態で保持させている。従って、マイクロフォンユニットの先端部並びに後端部に於ける保持構造に起因する振動の伝達レベルは極めて小さく、ケースから伝わる振動や騒音は殆ど遮断されてマイクロフォン出力のＳ／Ｎは著しく向上する。又、従来例の保持構造と異なって磁石の吸引力と紐状体の張力とはマイクロフォンユニットを先端部並びに後端部の２点によって保持しているので、マイクロフォンユニットのローリング振動は阻止され、マイクロフォンユニット自体から雑音が発生することは無くなって通話の明瞭度は更に改善されるという効果をも有するに至ったのである。
【図面の簡単な説明】
【図１】本発明の第１実施例の主軸に沿った縦方向断面図。
【図２】同、第２実施例の主軸に沿った縦方向断面図。
【図３】同、第３実施例の主軸に沿った縦方向断面図。
【図４】同、第４実施例の主軸に沿った縦方向断面図。
【図５】同、第５実施例の主軸に沿った縦方向断面図。
【図６】同、第６実施例の主軸に沿った縦方向断面図。
【図７】モービルマイクロフォンの使用例を示す概略説明図。
【図８】従来例のモービルマイクのマイクロフォンユニット保持構造の正面図。
【図９】同、図８に於けるＡ−Ａ線切断側面断面図。
【符号の説明】
１  マイクロフォンユニット
１１    マイクロフォンエレメント
１２    後端部の端子板
１３    端子
１４  音波導入孔
１５  ユニットケース
１６  プリアンプの入出力リード線
１７  プリアンプ
２  ケース
２１  風防
２２  基端部側端子板
２３    端子
２４  ベース
２５  小通気孔
３  マグネット
３１    先端部
４  磁性体
４１    先端部
５  紐状体
５ａ  リード線兼用の紐状体
６  リード線
７  マイクロフォンコード
７１  芯線
７２  シールド導体
８  可撓性導線管
Ｄ  マグネットと磁性体との間の空隙
Ｍ  モービルマイクロフォン
Ｃ  クリップ
Ｐ  プラグ
Ｈ  ヘルメット
Ｓ  スピーカ
Ｓｃ  スピーカコード
Ｐｃ  接続コード
Ｓｕ  サスペンダ
Ｓｕａ，Ｓｕｂ，Ｓｕｃ  サスペンダのカンチレバー部
【図１】
2004312094.tif 000003
【図２】
2004312094.tif 000004
【図３】
2004312094.tif 000005
【図４】
2004312094.tif 000006
【図５】
2004312094.tif 000007
【図６】
2004312094.tif 000008
【図７】
2004312094.tif 000009
【図８】
2004312094.tif 000010
【図９】
2004312094.tif 000011